(57)【要約】【課題】  電気掃除機全体のコンパクト化への収納を円滑に行える外観に優れた電気掃除機の吸込口体を提供する。【解決手段】  吸込口体２は、底に吸込口１１を有する吸込口本体１０と、この吸込口本体１０の後部に左右方向に沿った支軸を支点Ｐに回動可能に連結された接続管２０と、より構成される。接続管２０は、吸込口本体１０の後部に中継管３０を介して支持され、該中継管３０は、さらに左右方向に沿った支軸を支点に回動可能に構成される。【選択図】  図４
2011120956.tif 000002
【特許請求の範囲】
【請求項１】
底に吸込口を有する吸込口本体と、この吸込口本体の後部に左右方向に沿った支軸を支点に回動可能に連結された接続管と、を含む電気掃除機の吸込口体であって、
前記接続管が前記吸込口本体に対して所定角度以上起き上がっている状態より前記所定角度起き上がっている姿勢に至ったときに、その姿勢を超える回動を阻止する回動阻止手段を備えており、
この回動阻止手段は、
前記接続管における前記吸込口本体との連結端部の後側の外周面から外向きに付勢されながら突出する突出部材と、
前記接続管が前記所定角度起き上がっている姿勢に至ったときに前記突出部材に引っ掛かるように前記吸込口本体から突出する突出部と、より成ることを特徴とする電気掃除機の吸込口体。
【請求項２】
前記突出部材が球体であって圧縮コイルバネにより付勢されていることを特徴とする請求項１に記載の電気掃除機の吸込口体。
【請求項３】
前記所定角度が３０°〜３５°の範囲内に設定されていることを特徴とする請求項１又は２に記載の電気掃除機の吸込口体。
【発明の詳細な説明】
【技術分野】
【０００１】
本発明は、一般家庭で広く用いられる電気掃除機に関し、特にその吸込口体に関する。
【背景技術】
【０００２】
従来一般的な電気掃除機は、電動送風機を搭載した掃除機本体と、底に吸込口を有する吸込口体と、これら掃除機本体と吸込口体とを順に連結する接続ホース及び延長管と、より構成される。電動送風機を駆動すると、床面と向き合う吸込口体の吸込口より空気が吸い込まれ、その空気は、延長管、接続ホースを順に経て掃除機本体内に入り、集塵器で塵埃を除去された後、電動送風機を通じて掃除機本体から排出される。こうして床面上の掃除を行える。
【０００３】
吸込口体は、吸込口本体と、この吸込口本体の後部に左右方向に沿った支軸を支点に回動可能に連結された接続管と、より構成される。その接続管は、電気掃除機の構成要素である延長管に連結され、吸込口本体に対して水平に倒れ込んだ姿勢から起立した姿勢まで自由に取り得る。
【０００４】
このような従来の電気掃除機では、掃除の後に収納のために全体をコンパクトにしようとする場合、使用者は延長管を垂直に起こしてそのまま吸込口体ごと持ち上げ、予め立てた掃除機本体に隣接して延長管を鉛直下方に沈め込むことで、例えば掃除機本体の差込み穴に延長管のフックが差し込まれて固定される。その際の吸込口体に関しては、延長管の引起しに従って、接続管が吸込口本体に対して一旦起立した姿勢にされるが、続く延長管の持上げに従って、吸込口本体に自重が作用し、相対的に見て、吸込口本体が接続管に対して真っ直ぐなるように回動する。そうすると、延長管の沈め込みに従って、吸込口本体の前端部が床面に衝突するが、その段、吸込口本体は、その鉛直下方に真っ直ぐな姿勢のまま突っ掛かってしまい、収納を円滑に行えない。
【０００５】
このような不都合に対して、接続管が吸込口本体に対して起立した姿勢にされたとき、その姿勢を保持する仕組みを備える吸込口体が提案されている（例えば、特許文献１参照）。具体的には、接続管が吸込口本体に対して起立した姿勢にされたとき、接続管の側部から側方に突出する突起と、吸込口本体側に固定のねじりコイルバネや板バネと、が互いに係り合って一時的にロックするようになっている。
【先行技術文献】
【特許文献】
【０００６】
【特許文献１】特開２００４−２３００４３号公報
【発明の概要】
【発明が解決しようとする課題】
【０００７】
しかし、そのような従来の吸込口体では、姿勢保持の機構を備えるために、本来接続管を軸支するのみである吸込口本体側の部分を側方により大きくする必要があり、見た目が良くない。また、ねじりコイルバネや板バネでは、弾性力の低下が著しく、永続的な姿勢保持にやや不安が残る。
【０００８】
そこで本発明は、上記の問題に鑑みてなされたものであり、電気掃除機全体のコンパクト化への収納を円滑に行える外観に優れた電気掃除機の吸込口体を提供することを目的とするものである。
【課題を解決するための手段】
【０００９】
上記目的を達成するため、本発明による吸込口体は、底に吸込口を有する吸込口本体と、この吸込口本体の後部に左右方向に沿った支軸を支点に回動可能に連結された接続管と、を含む電気掃除機の吸込口体であって、前記接続管が前記吸込口本体に対して所定角度以上起き上がっている状態より前記所定角度起き上がっている姿勢に至ったときに、その姿勢を超える回動を阻止する回動阻止手段を備えている。この回動阻止手段は、前記接続管における前記吸込口本体との連結端部の後側の外周面から外向きに付勢されながら突出する突出部材と、前記接続管が前記所定角度起き上がっている姿勢に至ったときに前記突出部材に引っ掛かるように前記吸込口本体から突出する突出部と、より成る。
【００１０】
このような吸込口体によれば、掃除の後に収納のために電気掃除機全体をコンパクトにしようとする場合、接続管が吸込口本体に対して一旦起立した姿勢に引き起こされ、続いて接続管が持ち上げられると、吸込口本体に自重が作用し、相対的に見て、吸込口本体が接続管に対して真っ直ぐになろうと回動する様相になるが、その回動の途中、接続管からの突出部材が吸込口本体からの突出部に引っ掛かり、吸込口本体が、接続管に対して所定角度傾いた姿勢に保持される。そして、延長管が鉛直下方に沈め込められると、吸込口本体の前端部が床面に衝突するが、その段、吸込口本体は、鉛直軸に対して傾いているため、そのまま前端部を床面に摺りながら回動し、最後は、安定した姿勢にされる。
【発明の効果】
【００１１】
本発明の電気掃除機の吸込口体によれば、電気掃除機全体のコンパクト化への収納を円滑に行えるし、接続管を吸込口本体に対して所定角度の姿勢に保持する仕組みが接続管の後側に設けられるため、見た目がすっきりし外観に優れる。
【図面の簡単な説明】
【００１２】
【図１】本発明の一実施形態の吸込口体を備えた電気掃除機の全体構成を模式的に示す外観図である。
【図２】吸込口体の内部構造を示す断面図であって、吸込口本体に対して接続管が起立した姿勢を示す。
【図３】吸込口体の内部構造を示す断面図であって、吸込口本体に対して接続管が水平に倒れ込んだ姿勢を示す。
【図４】吸込口体の内部構造を示す断面図であって、吸込口本体に対して接続管が所定角度起き上がっている姿勢を示す。
【図５】吸込口体の外観を示す斜視図であって、吸込口本体に対して接続管が起立した姿勢を示す。
【図６】吸込口体の外観を示す斜視図であって、吸込口本体に対して接続管が水平に倒れ込んだ姿勢を示す。
【図７】吸込口体の外観を示す斜視図であって、吸込口本体に対して接続管が所定角度起き上がっている姿勢を示す。
【図８】接続管を引き起こした状態での吸込口体の外観を示す側面図である。
【図９】接続管を持ち上げた状態での吸込口体の外観を示す側面図である。
【図１０】接続管を持ち上げた状態で想定される吸込口体の不都合な外観を示す側面図である。
【発明を実施するための形態】
【００１３】
以下に、本発明の電気掃除機の吸込口体について、その一実施形態を図面を参照しながら詳述する。図１は本発明の一実施形態の吸込口体を備えた電気掃除機の全体構成を模式的に示す外観図である。図２〜図４はその吸込口体の内部構造を示す断面図、図５〜図７はその吸込口体の外観を示す斜視図であって、図２、図５では吸込口本体に対して接続管が起立した姿勢を示し、図３、図６では吸込口本体に対して接続管が水平に倒れ込んだ姿勢を示し、図４、図７では吸込口本体に対して接続管が所定角度起き上がっている姿勢を示している。図８は接続管を引き起こした状態での吸込口体の外観を示す側面図、図９は接続管を持ち上げた状態での吸込口体の外観を示す側面図である。
【００１４】
電気掃除機は、図１に示すように、大きくは、掃除機本体１と、吸込口体２と、これら掃除機本体１と吸込口体２とを順に連結する接続ホース３及び延長管４と、より構成される。掃除機本体１は、電動送風機５を搭載し、その電動送風機５への風路中に集塵器６を備える。接続ホース３は、自由に屈曲が可能になっており、一方延長管４は、途中に管を継ぎ足したり、管を取り外したりして、伸縮させることが可能なっている。その延長管４には、接続ホース３と連結された方の端部、すなわち吸込口体２に連結された方とは反対側の端部から取っ手４ａが突き出している。
【００１５】
電動送風機５を駆動すると、吸込口体２から延長管４、接続ホース３及び掃除機本体１に至る風路に吸引力が作用し、吸込口体２の底にある吸込口（図１では不図示）から空気が吸い込まれる。その空気は、延長管４、接続ホース３を順に経て掃除機本体１内に入り、集塵器６、電動送風機５を順に通じて掃除機本体１から排出される。その際集塵器６では、吸引した空気から塵埃が除去される。集塵器６としては、吸引した空気を高速で旋回させその空気中の塵埃を遠心分離により除去するサイクロン方式のものや、吸引した空気を紙パックを通過させその空気中の塵埃を濾過により除去する紙パック方式のものが採用される。なお、このような集塵器６と電動送風機５との間に、集塵器６を通じた空気から微細な塵埃を捕集するためのＨＥＰＡ（High Efficiency Particulate Air）フィルタ等の集塵フィルタを備えることも可能である。
【００１６】
ここで、図２〜図１０を参照しながら、吸込口体２の詳細な構成を以下に述べる。本実施形態の吸込口体２は、図２〜図７に示すように、大きくは、吸込口本体１０と、この吸込口本体１０の後部の中央から延び出して延長管４に連結される接続管２０と、より構成される。吸込口本体１０の前部には、掃除の対象とされる床等の被掃除面と向き合う底に、横長の吸込口１１が形成されていて、その吸込口１１からの風路は中央に向けて窄まっている。
【００１７】
また、吸込口１１には、左右方向に沿って延在する回転ブラシ１２が軸支されている。この回転ブラシ１２の外周には、ブラシ１２ａとブレード１２ｂとが交互に螺旋状に設けられていて、掃除の際に回転ブラシ１２が回転することにより、被掃除面上の塵埃を、吸込口１１からの窄まった風路に導くように巻き上げる。その回転ブラシ１２の回転の駆動力は、例えばモータ（不図示）より与えられる。
【００１８】
接続管２０は、吸込口本体１０に対して、吸込口１１からの窄まった風路につながるように、左右方向に沿った支軸（不図示）を支持されて連結され、その支軸を支点（図中の符号「Ｐ」参照）に回動可能になっている。接続管２０は、吸込口本体１０に対して、水平に延び出した姿勢（図３、図６参照）から、ほぼ垂直に起立した姿勢（図２、図５参照）まで、後述する姿勢を一時的に除き、自由に取ることができる。
【００１９】
特に、本実施形態での接続管２０は、厳密には、吸込口本体１０に直接支持されているわけではなく、短い中継管３０を介在して間接的に支持されている。具体的には、まずは中継管３０が、吸込口１１からの窄まった風路につながるように、左右方向に沿った支軸（不図示）を支持されて連結されている。ここでの中継管３０は、その支軸を支点（図中の符号「Ｑ」参照）とする回動が僅かにだけ許されている。この中継管３０の端部に、接続管２０の端部が受け入れられて、左右方向に沿った支軸を支点Ｐにして回動可能に連結される。
【００２０】
ここでの接続管２０には、その中継管３０に受け入れられる端部において、その前部と後部それぞれの外側に、回動の支点Ｐを中心に凸球面状に膨らんだ前カバー２１と後カバー２２が取り付けられている。一方中継管３０において、その上側の先端縁部からは、受け入れた接続管２０の前カバー２１の外周面に微小隙間をあけて接するように、突条３１が内向きに突出し、逆側となる下側の先端縁部からは、受け入れた接続管２０の後カバー２２の外周面に微小隙間をあけて接するように、突条３２が内向きに突出している。そして接続管２０は、中継管３０すなわち吸込口本体１０に対して支点Ｐを中心に回動するわけであるが、その際、前カバー２１の外周面と突条３１同士の近接、及び、後カバー２２の外周面と突条３２同士の近接により、外気とのシールがなされる。
【００２１】
なお、ここでの中継管３０は、同心状の２重管構造になっていて、接続管２０を支持する外筒の部分が、吸込口本体１０に支持される内筒の部分に対し、自由に回転できる。
【００２２】
また、本実施形態での接続管２０には、吸込口本体１０との連結端部、すなわち中継管３０に受け入れられる端部において、その後側に取り付けられた後カバー２２内に、硬質で表面滑り性の高い球体２３が収容されている。但し、後カバー２２には、球体２３の収容された位置に球体２３よりも径の小さい貫通穴２２ａが形成されており、球体２３は、その貫通穴２２ａより後カバー２２の外周面から突出している。また、球体２３は、同じく後カバー２２内に収容された圧縮コイルバネ２４により、外向き、すなわち後カバー２２の外周面から突出する向きに付勢されていて、その付勢力を超えた外力が与えられれば埋没する。球体２３の材質としては、エンジニアリングプラスチックや金属等を採用でき、特に限定はないが、表面滑り性に富むポリアセタール（ＰＯＭ）等の合成樹脂が好ましい。
【００２３】
もっとも、ここでの球体２３が突出する位置は、吸込口本体１０すなわち中継管３０に対して、接続管２０が所定角度θ以上起き上がっている状態（例えば、直角に起立した姿勢（図２、図５参照））より、図４に示すように、その所定角度θ起き上がっている姿勢に至ったときに、球体２３が中継管３０からの突条３２に引っ掛かるように定められる。その所定角度θは、概ね３０°〜３５°の範囲内で設定されることが好ましく、望ましくは３５°である。
【００２４】
このような吸込口体２を備えた電気掃除機では、掃除の後に収納のために全体をコンパクトにしようとする場合、使用者は延長管４を垂直に起こしてそのまま吸込口体２ごと持ち上げ、予め立てた掃除機本体１に隣接して延長管４を鉛直下方に沈め込むことで、例えば掃除機本体１の差込み穴に延長管４のフックが差し込まれて固定される。その際の吸込口体２に関しては、延長管４の引起しに従って、図８に示すように、接続管２０が吸込口本体１０に対して一旦起立した姿勢にされるが、続く延長管４の持上げに従って、吸込口本体１０に自重が作用し、相対的に見て、吸込口本体１０が、接続管２０に対して支点Ｐを中心に回動し、図１０に示すように、真っ直ぐになろうとする様相になる。しかし実際には、その回動の途中、図９に示すように、接続管２０からの球体２３が吸込口本体１０すなわち中継管３０からの突条３２に引っ掛かり、その姿勢を超える回動が阻止される。つまり、吸込口本体１０が、接続管２０に対して所定角度θ傾いた姿勢に保持される。そして、延長管４の沈め込みに従って、吸込口本体１０の前端部が床面に衝突するが、その段、吸込口本体１０は、支点Ｐからの鉛直軸に対して傾いているため、そのまま前端部を床面に摺りながら支点Ｐを中心に回動し、最後は、図８に示すような安定した姿勢にされる。
【００２５】
従って、電気掃除機全体のコンパクト化への収納を円滑に行える。しかも、接続管２０を吸込口本体１０に対して所定角度θの姿勢に保持する仕組みが接続管２０の後側に設けられるため、見た目がすっきりし外観に優れる。
【００２６】
一方、使用者が立った状態で掃除する際には、延長管４の取っ手４ａを握り、そのまま取っ手４ａを前後に押したり引いたりすることで、延長管４とともに吸込口体２を床面上で移動させることができる。その際の吸込口体２に関しては、接続管２０からの球体２３が吸込口本体１０すなわち中継管３０からの突条３２に引っ掛かる所定角度θが、概ね３５°以下であれば、その掃除の最中にその球体２３と突条３２がぶつかることはなく円滑に掃除を行える。
【００２７】
勿論、手元から遠い床上の隙間を掃除しようとして、延長管４を水平姿勢まで倒し込むこともできる。その際の吸込口体２に関しては、延長管４の倒し込みに従って、接続管２０からの球体２３が吸込口本体１０すなわち中継管３０からの突条３２に一旦は引っ掛かるものの、使用者による延長管４の倒し込み力により、その球体２３が突条３２を乗り越えるため、何ら不都合はない。
【００２８】
その他本発明は上記の実施形態に限定されず、本発明の趣旨を逸脱しない範囲で、種々の変更が可能である。例えば、接続管２０が吸込口本体１０に対して所定角度以上起き上がっている状態より所定角度起き上がっている姿勢に至ったときに、その姿勢を超える回動を阻止する仕組みとしては、球体２３と突条３２に限るわけではない。球体２３に関し、先端の丸いピンに代えることもできるし、これを付勢する圧縮コイルバネを板バネに代えることもできる。また、突条３２に関し、上記した実施形態ではシール用の突条３２を兼用しているが、別途に設けても構わないし、単なる突起であってもよい。
【産業上の利用可能性】
【００２９】
本発明は、延長管が吸込口体に対して水平姿勢まで倒れ込むことが可能な電気掃除機に有用である。
【符号の説明】
【００３０】
１    掃除機本体
２    吸込口体
３    接続ホース
４    延長管
４ａ  取っ手
５    電動送風機
６    集塵器
１０    吸込口本体
１１    吸込口
１２    回転ブラシ
２０    接続管
２２    後カバー
２２ａ  貫通穴
２３    球体
２４    圧縮コイルバネ
３０    中継管
３２    突条
【図１】
2011120956.tif 000003
【図２】
2011120956.tif 000004
【図３】
2011120956.tif 000005
【図４】
2011120956.tif 000006
【図５】
2011120956.tif 000007
【図６】
2011120956.tif 000008
【図７】
2011120956.tif 000009
【図８】
2011120956.tif 000010
【図９】
2011120956.tif 000011
【図１０】
2011120956.tif 000012
【手続補正書】
【提出日】平成23年3月18日(2011.3.18)
【手続補正１】
【補正対象書類名】明細書
【補正対象項目名】０００９
【補正方法】変更
【補正の内容】
【０００９】
本発明による吸込口体は、底に吸込口を有する吸込口本体と、この吸込口本体の後部に左右方向に沿った支軸を支点に回動可能に連結された接続管と、を含む電気掃除機の吸込口体であって、前記接続管は、その一端が前記電気掃除機の延長管に接続され、その他端側が前記吸込口本体に回動可能な中継管の一端に吸込口本体の左右方向に沿った支軸を支点に回動可能に連結され、前記中継管は、前記吸込口本体の後部に、前記吸込口本体の左右方向に沿った支軸を支点に回動可能に設けられる。また、前記中継管は同心状に２重管構造で、前記接続管の他端に支持される外筒が、吸込口本体側に設けられる内筒に対し自由に回転してなる。さらに前記接続管は、前記吸込口本体に対し所定角度以上起き上がった状態から前記所定角度起き上がっている姿勢に至ったときに、その姿勢を保持する回動阻止手段を備える。
【手続補正２】
【補正対象書類名】明細書
【補正対象項目名】００１０
【補正方法】変更
【補正の内容】
【００１０】
このような吸込口体によれば、掃除の後に収納のために電気掃除機全体をコンパクトにしようとする場合、接続管が吸込口本体に対して一旦起立した姿勢に引き起こされ、続いて接続管が持ち上げられると、吸込口本体に自重が作用し、相対的に見て、吸込口本体が接続管に対して真っ直ぐになろうと回動する様相になる。その回動の途中、吸込口本体が、接続管に対して所定角度傾いた姿勢に保持される。そして、延長管が鉛直下方に沈め込められると、吸込口本体の前端部が床面に衝突するが、その段、吸込口本体は、鉛直軸に対して傾いているため、そのまま前端部を床面に摺りながら回動し、最後は、安定した姿勢にされる。
【手続補正３】
【補正対象書類名】明細書
【補正対象項目名】００１１
【補正方法】変更
【補正の内容】
【００１１】
本発明の電機掃除機の吸込口体によれば、電気掃除機全体のコンパクト化への収納を円滑に行え、見た目がすっきりし概観が優れる。
【手続補正４】
【補正対象書類名】特許請求の範囲
【補正対象項目名】全文
【補正方法】変更
【補正の内容】
【特許請求の範囲】
【請求項１】
底に吸込口を有する吸込口本体と、この吸込口本体の後部に左右方向に沿った支軸を支点に回動可能に連結された接続管と、を含む電気掃除機の吸込口体であって、
前記接続管は、その一端が前記電気掃除機の延長管に接続され、その他端側が前記吸込口本体に回動可能な中継管の一端に吸込口本体の左右方向に沿った支軸を支点に回動可能に連結され、
前記中継管は、前記吸込口本体の後部に、前記吸込口本体の左右方向に沿った支軸を支点に回動可能に設けられた電気掃除機の吸込口体。
【請求項２】
前記中継管は、同心状に２重管構造で、前記接続管の他端に支持される外筒が、吸込口本体側に設けられる内筒に対し自由に回転する請求項１記載の電気掃除機の吸込口体。
【請求項３】
前記接続管は、前記吸込口本体に対し所定角度以上起き上がった状態から前記所定角度起き上がっている姿勢に至ったときに、その姿勢を保持する回動阻止手段を備えた、請求項１または３記載の電気掃除機の吸込口体。